(57)【要約】【課題】入力操作の簡易化及び入力時間の削減を図り、作業日誌作成の効率を上げるための日誌入力支援装置を得る。【解決手段】過去の日誌に登録された作業内容を、実施した過去の作業日と現在の実施状況情報とともに記憶しているデータベース１１と、現在の日誌に登録する日付が入力され、当該日付に基づいて、過去の同一月日近辺に実施された作業内容をデータベース１１から候補として検索し、その中から未実施作業リストを出力し、外部から入力される指令に基づいて、当該未実施作業リストの中から現在の日誌に登録する作業内容を選択する日誌作成処理部１０と、入力された上記日付と選択された上記作業内容とを現在の日誌として記憶するデータベース１２とを備えている。【選択図】図１
2005250678.tif 000002
【特許請求の範囲】
【請求項１】
過去の日誌に登録された作業内容を、実施した過去の作業日と現在の実施状況情報とともに記憶している記憶手段と、
現在の日誌に登録する日付が入力される日付入力手段と、
上記日付入力手段に入力された当該日付に基づいて、過去の同一月日近辺に実施された作業内容を上記記憶手段から現在の日誌に登録すべき作業内容候補として検索して出力する検索手段と、
上記現在の実施状況情報に基づいて、上記検索手段により検索された上記作業内容候補から未実施作業内容を分類して未実施作業リストとして出力するリスト出力手段と、
上記リスト出力手段から出力された上記未実施作業リストを表示する表示手段と、
外部から入力される指令に基づいて、表示された上記未実施作業リストの中から上記現在の日誌に登録する作業内容が選択される作業内容選択手段と、
上記現在の日誌として、上記日付入力手段に入力された上記日付と上記作業内容選択手段により選択された上記作業内容とを記憶する日誌登録手段と
を備えたことを特徴とする日誌入力支援装置。
【請求項２】
上記リスト出力手段は、上記未実施作業リストとともに、実施済み作業リストを出力することを特徴とする請求項１に記載の日誌入力支援装置。
【請求項３】
作目名が入力される作目名入力手段をさらに備え、
上記記憶手段は、上記作業内容を、作目名と上記実施した過去の作業月日と上記現在の実施状況情報とともに記憶しており、
上記検索手段は、上記作目名入力手段に入力された上記作目名の作業内容の中から、上記過去の同一月日近辺に実施された上記作業内容を、上記作業内容候補として検索する
ことを特徴とする請求項１または２に記載の日誌入力支援装置。
【請求項４】
圃場名が入力される圃場名入力手段をさらに備え、
上記記憶手段は、上記作業内容を、圃場名と上記実施した過去の作業月日と上記現在の実施状況情報とともに記憶しており、
上記検索手段は、上記圃場名入力手段に入力された上記圃場名の作業内容の中から、上記過去の同一月日近辺に実施された上記作業内容を、上記作業内容候補として検索する
ことを特徴とする請求項１ないし３のいずれか１項に記載の日誌入力支援装置。
【請求項５】
生産者名が入力される生産者名入力手段をさらに備え、
上記記憶手段は、上記作業内容を、生産者名と上記実施した過去の作業月日と上記現在の実施状況情報とともに記憶しており、
上記検索手段は、上記生産者名入力手段に入力された上記生産者名の作業内容の中から、上記過去の同一月日近辺に実施された上記作業内容を、上記作業内容候補として検索する
ことを特徴とする請求項１ないし４のいずれか１項に記載の日誌入力支援装置。
【請求項６】
上記日誌入力支援装置は、ネットワークを介して接続されたサーバとユーザ端末とから構成されていることを特徴とする請求項１ないし５のいずれか１項に記載の日誌入力支援装置。
【請求項７】
ユーザが文字列を入力する際に、入力候補となる作業項目の一覧を表示し、リスト中の候補の選択によって作業項目を入力可能とする日誌入力支援方法であって、
過去の日誌に登録された作業内容を、実施した過去の作業日と現在の実施状況情報とともに格納する格納ステップと、
現在の日誌に登録する日付が入力される日付入力ステップと、
入力された当該日付に基づいて、過去の同一時期に実施した作業内容を候補として検索する検索ステップと、
上記現在の実施状況情報に基づいて、現在実施済みの作業内容を上記候補から取り除き、それ以外の作業内容をリスト表示する表示ステップと、
外部から入力される指令に基づいて、リスト表示された上記作業内容の中から、現在の日誌に登録する作業内容を選択する選択ステップと
を備えたことを特徴とする日誌入力支援方法。
【発明の詳細な説明】
【技術分野】
【０００１】
本発明は日誌入力支援装置および日誌入力支援方法に関し、特に、農家や農業団体の一日に行なった農作業を記録としてつける作業日誌入力を行なう際の入力操作を支援するための日誌入力支援装置および日誌入力支援方法に関するものである。
【背景技術】
【０００２】
従来、日誌入力方法としては、農家側が、手書きによる作業日誌を作成し、それを農業団体にＦＡＸし、農業団体の方で代行入力を行なう方法と、農家で直接パソコンに入力し、電子メールで農業団体の方にデータを転送し、登録する方法の二種類に分類される。
【０００３】
現在、農薬取締法により、日々行なった作業について、少なくとも、使用農薬は必ず登録しなければならない決まりになっている為、使用農薬の履歴を残さなければならない。従来の方法では、同じ様な作業をした日でも、一から入力しなければならない為、入力の手間がかかり、時間が掛かかる。
【０００４】
一方、文字を入力する際に、文字入力のためのキー操作回数を少なくして、平均の入力コストを少なくするように工夫された入力支援装置が近年提案されている。これは、特に、携帯電話等の入力のために開発されているものである（例えば、特許文献１参照。）。
【０００５】
【特許文献１】特開２００１−２４２９９２号公報
【発明の開示】
【発明が解決しようとする課題】
【０００６】
上述したように、現在、農薬取締法により、日々行なった作業について、少なくとも、使用農薬は必ず登録しなければならない決まりになっている為、使用農薬の履歴を残さなければならないが、従来の方法では、同じ様な作業をした日でも、一から入力しなければならない為、時間が掛かってしまう、あるいは、まとめて入力しようとする場合には細かい所は忘れてしまう、などの問題点があった。
【０００７】
特許文献１により提案されている入力支援装置においては、過去に入力した文字列の中から入力コストの大きいものを優先的に選択し、選択した入力コストの大きい文字列からなる入力支援用リストを作成して、それを表示し、その中の文字列をユーザに選択させて文字列を入力する。そのため、たとえ、この従来の入力支援装置における入力支援機能を農家のパソコンに備えさせたとしても、常に同じように、入力コストの大きい文字列だけが優先的に表示されるので、季節的に関係ない作業内容や、実施済みの作業内容ばかりが表示されて、ほとんど意味がないことになってしまうという問題点があった。
【０００８】
この発明は、かかる問題点を解決するためになされたものであり、入力操作の簡易化及び入力時間の削減を図り、作業日誌作成の効率を上げるための日誌入力支援装置および日誌入力支援方法を得ることを目的とする。
【課題を解決するための手段】
【０００９】
この発明は、過去の日誌に登録された作業内容を、実施した過去の作業日と現在の実施状況情報とともに記憶している記憶手段と、現在の日誌に登録する日付が入力される日付入力手段と、上記日付入力手段に入力された当該日付に基づいて、過去の同一月日近辺に実施された作業内容を上記記憶手段から現在の日誌に登録すべき作業内容候補として検索して出力する検索手段と、上記現在の実施状況情報に基づいて、上記検索手段により検索された上記作業内容候補から未実施作業内容を分類して未実施作業リストとして出力するリスト出力手段と、上記リスト出力手段から出力された上記未実施作業リストを表示する表示手段と、外部から入力される指令に基づいて、表示された上記未実施作業リストの中から上記現在の日誌に登録する作業内容が選択される作業内容選択手段と、上記現在の日誌として、上記日付入力手段に入力された上記日付と上記作業内容選択手段により選択された上記作業内容とを記憶する日誌登録手段とを備えた日誌入力支援装置である。
【発明の効果】
【００１０】
この発明は、過去の日誌に登録された作業内容を、実施した過去の作業日と現在の実施状況情報とともに記憶している記憶手段と、現在の日誌に登録する日付が入力される日付入力手段と、上記日付入力手段に入力された当該日付に基づいて、過去の同一月日近辺に実施された作業内容を上記記憶手段から現在の日誌に登録すべき作業内容候補として検索して出力する検索手段と、上記現在の実施状況情報に基づいて、上記検索手段により検索された上記作業内容候補から未実施作業内容を分類して未実施作業リストとして出力するリスト出力手段と、上記リスト出力手段から出力された上記未実施作業リストを表示する表示手段と、外部から入力される指令に基づいて、表示された上記未実施作業リストの中から上記現在の日誌に登録する作業内容が選択される作業内容選択手段と、上記現在の日誌として、上記日付入力手段に入力された上記日付と上記作業内容選択手段により選択された上記作業内容とを記憶する日誌登録手段とを備えた日誌入力支援装置であるので、作物の栽培は農家および地域によってほぼ固定であり、また、栽培周期はこよみ上ほぼ決まっていることから、過去の同一月日近辺に実施されや作業内容を候補として表示して、それらから選択して入力するようにしたため、入力操作の簡易化及び入力時間の削減を図り、作業日誌作成の効率を上げることができる。
【発明を実施するための最良の形態】
【００１１】
実施の形態１．
図を参照して、この発明の実施の形態１に係る日誌入力支援装置について説明する。図１に、この発明の実施の形態１に係る日誌入力支援装置の構成図を示す。図１に示すように、この発明の日誌入力支援装置は、日誌のためのデータの入力を行って日誌の作成処理を行う日誌作成処理部１０と、過去の作業情報履歴データを格納している過去の作業情報履歴データベース（ＤＢ１）１１と、日誌作成処理部１０により作成された現在の作業情報履歴データを格納している現在の作業情報履歴データベース（ＤＢ２）１２とから構成されている。日誌作成処理部１０は、パーソナルコンピュータ等のコンピュータから構成され、キーボードおよびマウス等の入力手段と、ディスプレイ等の表示手段を備える。日誌作成処理部１０は、過去の作業情報履歴データベース（ＤＢ１）を参照しにいき、入力された検索キー情報を基に、条件に当てはまる作業内容があれば、日誌作成処理部１０に設けられた表示手段に表示させる。表示された作業内容の中から該当する作業内容を選択するか、あるいは、作業内容を新規入力して、日誌を作成する。日誌を作成が終了したら、現在の作業情報履歴データベース（ＤＢ２）１２に当該日誌を登録する。
【００１２】
図２に、この発明の日誌入力支援装置の処理の流れを示す。図３は、この発明の日誌入力支援装置における日誌作成処理部１０の表示手段に表示された表示画面の一例を示した図である。
【００１３】
図３に示すように、表示画面には、生産者名を入力する生産者入力欄３０と、作目を入力する作目入力欄３１と、圃場ナンバー（以下、圃場Ｎｏ．とする。）を入力する圃場Ｎｏ．入力欄３２と、作業内容を入力する作業内容入力欄３３と、天候を入力する天候入力欄３４と、使用農薬を入力する使用農薬入力欄３５と、使用農薬の使用量を入力する使用量入力欄３６と、備考欄３７とが、テキストボックスにより表示されている。これらはキーボード等の入力手段により文字列を入力してもよいが、プロダウンメニューにより候補リストを表示してその中から該当するものを選択して入力するようにしてもよい。また、日誌入力終了時にクリックするための登録ボタン３８と、登録せずに終了するためのキャンセルボタン３９とが設けられている。
【００１４】
さらに、図３に示すように、現在実施済みである作業内容のリストである実施済み作業リストを表示する実施済み作業表示画面４０と、現在未実施である作業内容のリストである未実施作業リストを表示してオペレータに対して選択を促す未実施作業選択画面４１とが設けられている。実施済み作業リストは作業状態の確認ができ、未実施作業リストからは本日行った作業を選択出来るようになっている。実施済み作業表示画面４０および未実施作業選択画面４１には、リストが挙げられた情報が多いときに画面をスクロールさせるためのスクロールバー４０ａおよび４１ａがそれぞれ設けられている。
【００１５】
また、図３に示すように、作業年・月を入力するための作業年入力欄４２と作業月入力欄４３とが設けられている。これらは、プルダウンメニューにより候補リストを表示して該当するものを選択して入力するようにしてもよい。さらに、作業曜日を選択するための７つの数字ボタン１〜７（符号４４）が設けられており、それぞれ、月曜から日曜に対応している。これらのうちのいずれかをクリックすると、当該月の当該曜日に該当する日付が日付選択欄４５として表示される。
【００１６】
次に、図２に基づいて動作について説明する。図２に示すように、この発明の日誌入力支援装置においては、まず、ステップＳ１で、図３に示す表示画面の生産者入力欄３０、作目入力欄３１、圃場Ｎｏ．入力欄３２に、それぞれ、生産者、作目、圃場Ｎｏ．を入力する。これにより、この３つの情報を検索キー情報として、過去の作業情報履歴データベース１１から、条件に当てはまる作業内容を検索し、情報を絞り込む。なお、図４に、過去の作業情報履歴データベース１１の一例を示す。過去の作業情報履歴データベース１１には、過去に実施されたすべての作業内容について、生産者名、作目名、圃場Ｎｏ．、作業内容Ｎｏ．、作業内容、実施済みフラグ、過去の作業日、現在の作業日等の項目のデータが格納されている。なお、過去の作業日として、昨年の作業日のデータを用いてもよいが、標準化するために、例えば、過去１０年の作業日の平均データというように、所定の期間の平均データを用いるようにしてもよい。
【００１７】
次に、ステップＳ２で、作業年入力欄４２、作業月入力欄４３および日付選択欄４５を用いて、作業日の年・月・日を入力する。これらが入力されると、図３の作業日表示欄４６に作業日が表示される。このようにして、作業日の年・月・日を指定した後、上述のステップＳ１で絞り込まれた検索結果内から、ステップＳ２で入力した作業日と同一月日を中心とする過去の同一月日の前後一週間を条件に作業情報を検索する。すなわち、作業日が２００２／０４／０１とすると、０３／２９から０４／０４までの期間に該当する過去の作業内容がすべて検索される。
【００１８】
次に、ステップＳ３において、ステップＳ２で検索された作業内容の内で、実施済みフラグがチェックされている作業内容かどうかを調べる。なお、実施済みフラグがチェックされているものは現在実施済みのもので、チェックされていないものは現在未実施のものである。実施済みフラグがチェックされている作業内容なら、ステップＳ５に進み、実施済み作業リストとして、実施済み作業表示画面４０に日付順に表示する。実施済みフラグにチェックされていない作業内容なら、ステップＳ４に進み、未実施作業選択画面４１に未実施作業リストとして表示する。
【００１９】
次に、ステップＳ６において、オペレータは、未実施作業選択画面４１の未実施作業リストから、本日行った作業内容として登録したい作業内容に該当するものがあるかどうか調べる。該当するものがあれば、ステップＳ７に進み、当該作業内容をクリックする等してリストから選択し、そのまま、作業内容入力欄３３までドラッグして入力する。また、必要に応じて、他の入力欄３４〜３７にもデータを入力し、入力終了後に、登録ボタン３８をクリックする。これにより、ステップＳ９に進み、過去の作業情報履歴データベース１１内の当該作業内容の実施済フラグにチェックが格納され、現在の作業日に本日の日付が格納されるとともに、現在の作業情報履歴データベース１２に、本日の作業日誌記録として、入力された情報が登録される。一方、ステップＳ６において、該当するものがなければ、ステップＳ８に進み、作業内容入力欄３３に、キーボード等の入力手段を用いて、作業内容を文字列により入力する。また、必要に応じて、他の入力欄３４〜３７にもデータを入力し、入力終了後に、登録ボタン３８をクリックすることにより、ステップＳ９に進み、現在の作業情報履歴データベース１２に、本日の作業日誌記録として、入力された情報が登録される。
【００２０】
図５に、現在の作業情報履歴データベース１２の一例を示す。現在の作業情報履歴データベース１２には、図５に示すように、作業日、生産者、作目、圃場Ｎｏ．、作業内容Ｎｏ．、作業内容、使用農薬、当該農薬の使用量、天候、備考情報などが格納されている。
【００２１】
以上のように、入力時に過去の作業情報から実施済み作業リスト・未実施作業リストを表示させ、過去の情報を流用できるようにすることで、同じ様な作業を行なった場合に、一から入力せずに済む事が出来、日誌の入力の効率化を図ることができる。また、実施済み作業リスト・未実施作業リストを表示させる事で、作業状態を確認する事ができ、作業モレを防ぐ事が出来る。作物の栽培は、農家によって固定であり、また栽培周期は、こよみ上ほぼ決まっている事から、二年目以降の入力作業は大幅に簡単になる。
【００２２】
実施の形態２．
上述の実施の形態１においては、１台のパソコン等のコンピュータから本発明の日誌入力支援装置を構成することについて述べたが、本実施の形態においては、本発明の日誌入力支援装置を、ネットワークを介して接続されたサーバとユーザ端末とから構成する例について説明する。
【００２３】
なお、例えば、サーバは農業団体に設置されているものとし、ユーザ端末は農家側で所有されているものとする。ユーザ端末の種類としては、パソコン、携帯電話、あるいは、携帯端末など、いずれのものでもよい。
【００２４】
本実施の形態の一例としては、まず、図１の構成のうち、過去の作業情報履歴データベース１１がサーバ内に備えられているものとする。このとき、図２のステップＳ１の処理はユーザ端末で行い、ステップＳ２〜Ｓ５の処理をサーバで行って、ステップＳ６〜Ｓ９の処理をユーザ端末で行うようにしてもよい。あるいは、ステップＳ１〜Ｓ９の処理をユーザ端末ですべて行うようにしてもよい。但し、その場合には、ステップＳ１の処理において、生産者、作目名、圃場Ｎｏ．を入力し、サーバ内の過去の作業情報履歴データベース１１に接続後、この３つをキーに検索を行うようにする。また、この場合には、現在の作業情報履歴データベース１２はユーザ端末内にあるので、必要に応じて、農業団体に送信するか、あるいは、ＦＤやＣＤ−ＲＯＭ等の記憶媒体に記憶させて、郵送等により農業団体に送付するようにすればよい。
【００２５】
本実施の形態の他の例としては、図１の構成のうち、現在の作業情報履歴データベース１２がサーバ内に備えられているものとする。このとき、ステップＳ１〜Ｓ９の処理をユーザ端末ですべて行うようにする。但し、その場合には、ステップＳ９の処理において、サーバ内の現在の作業情報履歴データベース１２に接続後、入力内容の登録を行うようにする。
【００２６】
本実施の形態のさらなる他の例として、上述した２つの例を組み合わせて、図１の構成のうち、過去の作業情報履歴データベース１１と現在の作業情報履歴データベース１２とをサーバ内に備えるようにしてもよい。なお、動作については、上述の組み合わせのいずれかにすればよい。
【図面の簡単な説明】
【００２７】
【図１】この発明の実施の形態に係る日誌入力支援装置の構成を示した構成図である。
【図２】この発明の実施の形態に係る日誌入力支援装置の処理の流れを示した流れ図である。
【図３】この発明の実施の形態に係る日誌入力支援装置における日誌入力画面の一例を示した説明図である。
【図４】この発明の実施の形態に係る日誌入力支援装置における過去の作業情報履歴データベースの一例を示した説明図である。
【図５】この発明の実施の形態に係る日誌入力支援装置における現在の作業情報履歴データベースの一例を示した説明図である。
【符号の説明】
【００２８】
１０  日誌作成処理部、１１  過去の作業情報履歴データベース、１２  現在の作業情報履歴データベース、３０  生産者入力欄、３１  作目入力欄、３２  圃場Ｎｏ．入力欄、３３  作業内容入力欄、３４  天候入力欄、３５  使用農薬入力欄、３６  使用量入力欄、３７  備考欄、３８  登録ボタン、３９  キャンセルボタン、４０  実施済み作業表示画面、４０ａ  スクロールバー、４１  未実施作業選択画面、４１ａ  スクロールバー、４２  作業年入力欄、４３  作業月入力欄、４４  数字ボタン、４５  日付選択欄、４６  作業日表示欄。
【図１】
2005250678.tif 000003
【図２】
2005250678.tif 000004
【図３】
2005250678.tif 000005
【図４】
2005250678.tif 000006
【図５】
2005250678.tif 000007